【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
識別情報を可変表示可能な可変表示装置を含み、変動開始の条件の成立に応じて識別情報の可変表示を開始し、識別情報の可変表示時間が経過すると前記可変表示装置に停止識別情報を停止表示する遊技機であって、
遊技の進行を制御する遊技制御用マイクロコンピュータと、
遊技状態を記憶し、遊技機に対する電力供給が停止しても所定の期間は記憶内容を保持可能な記憶手段と、
前記遊技制御用マイクロコンピュータから送出されるコマンドにもとづいて前記可変表示装置の表示制御を行う表示制御用マイクロコンピュータとを備え、
前記遊技制御用マイクロコンピュータは、
遊技者にとって有利な特定遊技状態とするか否かを決定する特定遊技状態決定手段と、
前記特定遊技状態決定手段が前記特定遊技状態とする旨に決定しているときに、識別情報の可変表示時間が経過した後に前記特定遊技状態に制御する特定遊技状態制御手段と、
前記可変表示装置において識別情報の可変表示を開始させるときに、識別情報の可変表示時間を特定可能な可変表示パターンコマンドと、前記表示制御用マイクロコンピュータが前記可変表示装置に表示される前記停止識別情報を特定するための識別情報指定コマンドを前記表示制御用マイクロコンピュータに送出する処理を実行するコマンド送出手段と、
遊技機に対する電力供給が開始されたときに、前記記憶手段に記憶内容が保持されていたことを条件に、該記憶内容にもとづいて遊技状態を電力供給が停止したときの状態に復帰させる復旧処理を実行する復旧手段とを含み、
前記復旧手段は、電力供給が停止する前に最後に送出した識別情報指定コマンドを前記表示制御用マイクロコンピュータに送出するコマンド再送出手段を有し、
前記表示制御用マイクロコンピュータは、
遊技機に対する電力供給が開始されたときに、前記コマンド再送出手段が送出した識別情報指定コマンドを受信したときに該識別情報指定コマンドで特定される停止識別情報を前記可変表示装置に表示させる初期表示制御手段と、
前記可変表示装置において識別情報の可変表示を開始させるときに前記コマンド送出手段が送出した可変表示パターンコマンドを受信したときに、前記コマンド送出手段が送出した識別情報指定コマンドを、前記可変表示パターンコマンドを受信してから所定期間内に受信したときには該識別情報指定コマンドのデータにもとづく識別情報を前記可変表示装置において停止表示させる停止識別情報制御手段と、
前記可変表示装置において識別情報の可変表示を開始させるときに前記コマンド送出手段が送出した可変表示パターンコマンドを受信したときに、前記コマンド送出手段が送出した識別情報指定コマンドを前記所定期間内に受信しなかったときには、以前に受信した識別情報指定コマンドであって最新の識別情報指定コマンドのデータにもとづく識別情報を前記可変表示装置において停止表示させる未受信時停止識別情報制御手段とを含む
ことを特徴とする遊技機。
【請求項２】
可変表示装置は、表面に識別情報が付され駆動モータによって駆動される可変表示部材を含み、
未受信時停止識別情報制御手段は、可変表示パターンコマンドを受信したときに、識別情報指定コマンドを受信しなかったときには、以前に受信した識別情報指定コマンドであって最新の識別情報指定コマンドのデータにもとづく識別情報を可変表示装置に停止表示させるために前記駆動モータの速度調整を行う
請求項１記載の遊技機。
【請求項３】
遊技制御用マイクロコンピュータは、可変表示装置における識別情報の可変表示時間が経過したときに、前記識別情報の可変表示の終了を示す確定コマンドを表示制御用マイクロコンピュータに送出する確定コマンド送出手段を含み、
未受信時停止識別情報制御手段は、所定期間以降に、識別情報指定コマンドを受信し、その後に確定コマンドを受信したときには、受信した識別情報指定コマンドにもとづく識別情報を可変表示装置に表示される停止識別情報とする制御を行う
請求項１または請求項２記載の遊技機。
【請求項４】
未受信時停止識別情報制御手段は、所定期間以降も識別情報指定コマンドを受信することなく確定コマンドを受信したときに、以前に受信した識別情報指定コマンドであって最新の識別情報指定コマンドのデータにもとづく識別情報を可変表示装置に表示される停止識別情報とする制御を行う
請求項３記載の遊技機。
【請求項５】
可変表示装置は複数の識別情報表示領域を有し、
コマンド送出手段は、前記識別情報表示領域のそれぞれに表示される各識別情報を特定するためのそれぞれの識別情報指定コマンドを前記表示制御用マイクロコンピュータに送出し、
未受信時停止識別情報制御手段は、前記それぞれの識別情報指定コマンドのうち未受信の識別情報指定コマンドがあるときに、当該識別情報指定コマンドに対応する識別情報表示領域に対して、以前に受信した識別情報指定コマンドであって最新の識別情報指定コマンドのデータにもとづく識別情報を可変表示装置に表示される停止識別情報として該識別情報を前記可変表示装置において停止表示させる
請求項１から請求項４のうちのいずれかに記載の遊技機。
【請求項６】
表示制御用マイクロコンピュータは、各識別情報表示領域に対応した識別情報指定コマンドを格納する格納領域を有し、受信した識別情報指定コマンドを対応する格納領域に格納する
請求項５記載の遊技機。
【請求項７】
未受信時停止識別情報制御手段は、以前に受信した識別情報指定コマンドであって最新の識別情報指定コマンドのデータを用いたときに識別情報の組み合わせが特定表示態様となるときには、いずれか一つの識別情報を、前記データにもとづく識別情報と異ならせる制御を行う
請求項１から請求項６のうちのいずれかに記載の遊技機。
【手続補正２】
【補正対象書類名】明細書
【補正対象項目名】００１０
【補正方法】変更
【補正の内容】
【００１０】
【課題を解決するための手段】
本発明による遊技機は、識別情報を可変表示可能な可変表示装置を含み、変動開始の条件の成立に応じて識別情報の可変表示を開始し、識別情報の可変表示時間が経過すると可変表示装置に停止識別情報を停止表示する遊技機であって、遊技の進行を制御する遊技制御用マイクロコンピュータと、遊技状態を記憶し、遊技機に対する電力供給が停止しても所定の期間は記憶内容を保持可能な記憶手段と、遊技制御用マイクロコンピュータから送出されるコマンドにもとづいて可変表示装置の表示制御を行う表示制御用マイクロコンピュータとを備え、遊技制御用マイクロコンピュータが、遊技者にとって有利な特定遊技状態とするか否かを決定する特定遊技状態決定手段と、特定遊技状態決定手段が特定遊技状態とする旨に決定しているときに、識別情報の可変表示時間が経過した後に特定遊技状態に制御する特定遊技状態制御手段と、可変表示装置において識別情報の可変表示を開始させるときに、識別情報の可変表示時間を特定可能な可変表示パターンコマンドと、表示制御用マイクロコンピュータが可変表示装置に表示される停止識別情報を特定するための識別情報指定コマンドを表示制御用マイクロコンピュータに送出する処理を実行するコマンド送出手段と、遊技機に対する電力供給が開始されたときに、記憶手段に記憶内容が保持されていたことを条件に、該記憶内容にもとづいて遊技状態を電力供給が停止したときの状態に復帰させる復旧処理を実行する復旧手段とを含み、復旧手段は、電力供給が停止する前に最後に送出した識別情報指定コマンドを表示制御用マイクロコンピュータに送出するコマンド再送出手段を有し、表示制御用マイクロコンピュータが、遊技機に対する電力供給が開始されたときに、コマンド再送出手段が送出した識別情報指定コマンドを受信したときに該識別情報指定コマンドで特定される停止識別情報を可変表示装置に表示させる初期表示制御手段と、可変表示装置において識別情報の可変表示を開始させるときにコマンド送出手段が送出した可変表示パターンコマンドを受信したときに、コマンド送出手段が送出した識別情報指定コマンドを、可変表示パターンコマンドを受信してから所定期間内に受信したときには該識別情報指定コマンドのデータにもとづく識別情報を可変表示装置において停止表示させる停止識別情報制御手段と、可変表示装置において識別情報の可変表示を開始させるときにコマンド送出手段が送出した可変表示パターンコマンドを受信したときに、コマンド送出手段が送出した識別情報指定コマンドを所定期間内に受信しなかったときには、以前に受信した識別情報指定コマンドであって最新の識別情報指定コマンド（前回の識別情報指定コマンド）のデータにもとづく識別情報を可変表示装置において停止表示させる未受信時停止識別情報制御手段とを含むことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
可変表示装置は、表面に識別情報が付され駆動モータによって駆動される可変表示部材を含み、未受信時停止識別情報制御手段は、可変表示パターンコマンドを受信したときに、識別情報指定コマンドを受信しなかったときには、以前に受信した識別情報指定コマンドであって最新の識別情報指定コマンドのデータにもとづく識別情報を可変表示装置に停止表示させるために駆動モータの速度調整を行うように構成されていてもよい。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
遊技制御用マイクロコンピュータが、可変表示装置における識別情報の可変表示時間が経過したときに、識別情報の可変表示の終了を示す確定コマンドを表示制御用マイクロコンピュータに送出する確定コマンド送出手段を含み、未受信時停止識別情報制御手段が、所定期間以降に、識別情報指定コマンドを受信しその後に確定コマンドを受信したときには、受信した識別情報指定コマンドにもとづく識別情報を可変表示装置に表示される停止識別情報とする制御を行うように構成されていてもよい。
【手続補正７】
【補正対象書類名】明細書
【補正対象項目名】００１５
【補正方法】変更
【補正の内容】
【００１５】
未受信時停止識別情報制御手段が、所定期間以降も識別情報指定コマンドを受信することなく確定コマンドを受信したときに、以前に受信した識別情報指定コマンドであって最新の識別情報指定コマンドのデータにもとづく識別情報を可変表示装置に表示される停止識別情報とする制御を行うように構成されていてもよい。
【手続補正８】
【補正対象書類名】明細書
【補正対象項目名】００１６
【補正方法】変更
【補正の内容】
【００１６】
可変表示装置が複数の識別情報表示領域（例えば、左右中）を有し、コマンド送出手段が、識別情報表示領域のそれぞれに表示される各識別情報を特定するためのそれぞれの識別情報指定コマンドを表示制御用マイクロコンピュータに送出し、未受信時停止識別情報制御手段が、各識別情報指定コマンドのうち未受信の識別情報指定コマンドがあるときに、当該識別情報指定コマンドに対応する識別情報表示領域に対して、以前に受信した識別情報指定コマンドであって最新の識別情報指定コマンドのデータにもとづく識別情報を可変表示装置に表示される停止識別情報として該識別情報を可変表示装置において停止表示させるように構成されていてもよい。
【手続補正９】
【補正対象書類名】明細書
【補正対象項目名】００１７
【補正方法】変更
【補正の内容】
【００１７】
表示制御用マイクロコンピュータが、各識別情報表示領域に対応した識別情報指定コマンドを格納する格納領域を有し、受信した識別情報指定コマンドを対応する格納領域に格納するように構成されていてもよい。
【手続補正１０】
【補正対象書類名】明細書
【補正対象項目名】００１８
【補正方法】変更
【補正の内容】
【００１８】
未受信時停止識別情報制御手段が、以前に受信した識別情報指定コマンドであって最新の識別情報指定コマンドのデータを用いたときに識別情報の組み合わせが特定表示態様となるときには、いずれか一つの識別情報を、当該データにもとづく識別情報と異ならせる制御を行うように構成されていてもよい。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】０３２２
【補正方法】変更
【補正の内容】
【０３２２】
【発明の効果】
以上のように、本発明によれば、遊技機を、表示制御用マイクロコンピュータが、遊技制御用マイクロコンピュータから可変表示パターンコマンドを受信したときに、遊技制御用マイクロコンピュータから識別情報指定コマンドを受信したときには識別情報指定コマンドのデータにもとづく識別情報を可変表示装置に表示される停止識別情報とし、遊技制御用マイクロコンピュータから識別情報指定コマンドを受信しなかったときには、前回の識別情報指定コマンドのデータにもとづいて所定の制御を行うように構成したので、何らかの理由で識別情報指定コマンドを受信できなかった場合でも、表示制御用マイクロコンピュータは、可変表示装置の可変表示制御を行うことができ、表示制御用マイクロコンピュータの可変表示制御をより安定にすることができる。また、識別情報指定コマンドを受信できなかった場合でも、表示制御用マイクロコンピュータは、可変表示終了時に識別情報を停止表示させる制御を行うことができる。
【手続補正１４】
【補正対象書類名】明細書
【補正対象項目名】０３２３
【補正方法】削除
【補正の内容】
【手続補正１５】
【補正対象書類名】明細書
【補正対象項目名】０３２４
【補正方法】変更
【補正の内容】
【０３２４】
停止識別情報制御手段が、可変表示パターンコマンドを受信したときに、識別情報指定コマンドを受信しなかったときには、前回の識別情報指定コマンドのデータにもとづく識別情報を可変表示装置に停止表示させるために駆動モータの速度調整を行うように構成されている場合には、識別情報指定コマンドを受信できなかった場合でも、表示制御用マイクロコンピュータは、前回の可変表示結果を用いて可変表示を行うことができる。
【手続補正１６】
【補正対象書類名】明細書
【補正対象項目名】０３２５
【補正方法】削除
【補正の内容】
【手続補正１７】
【補正対象書類名】明細書
【補正対象項目名】０３２６
【補正方法】変更
【補正の内容】
【０３２６】
停止識別情報制御手段が、所定期間以降に、識別情報指定コマンドを受信しその後に確定コマンドを受信したときには、受信した識別情報指定コマンドにもとづく識別情報を可変表示装置に表示される停止識別情報とするように構成されている場合には、識別情報指定コマンドの受信が遅れた場合であっても、確定コマンドを受信するまでに識別情報指定コマンドを受信できれば、受信した識別情報指定コマンドで指定された識別情報にもとづく可変表示を実行することができる。
【手続補正１８】
【補正対象書類名】明細書
【補正対象項目名】０３２７
【補正方法】変更
【補正の内容】
【０３２７】
未受信時停止識別情報制御手段が、所定期間以降も識別情報指定コマンドを受信することなく確定コマンドを受信したときには、前回の識別情報指定コマンドのデータにもとづく識別情報を可変表示装置に表示される停止識別情報とするように構成されている場合には、確定コマンドを受信するまでに識別情報指定コマンドを受信できなかった場合でも、表示制御用マイクロコンピュータは、妥当な識別情報を停止識別情報として表示させる制御を行うことができる。
【手続補正１９】
【補正対象書類名】明細書
【補正対象項目名】０３２８
【補正方法】変更
【補正の内容】
【０３２８】
コマンド送出手段が、識別情報表示領域のそれぞれに表示される各識別情報を決定するためのそれぞれの識別情報指定コマンドを表示制御用マイクロコンピュータに送出し、未受信時停止識別情報制御手段が、各識別情報指定コマンドのうち未受信の識別情報指定コマンドがあるときに、当該識別情報指定コマンドに対応する識別情報表示領域に対して、前回の識別情報指定コマンドのデータにもとづく識別情報を可変表示装置に表示される停止識別情報として該識別情報を可変表示装置において停止表示させるように構成されている場合には、正常に受信できた識別情報指定コマンドについてはコマンドで指示された識別情報を使用することができるとともに、受信できなかった識別情報指定コマンドについては所定の制御によって妥当な表示制御を行うことができる。
【手続補正２０】
【補正対象書類名】明細書
【補正対象項目名】０３２９
【補正方法】変更
【補正の内容】
【０３２９】
表示制御用マイクロコンピュータが、各識別情報表示領域に対応した識別情報指定コマンドを格納する格納領域を有し、受信した識別情報指定コマンドを対応する格納領域に格納するように構成されている場合には、受信した識別情報指定コマンドを使用するときに、誤って他の識別情報指定コマンドを使用してしまうことは確実に防止される。
【手続補正２１】
【補正対象書類名】明細書
【補正対象項目名】０３３０
【補正方法】変更
【補正の内容】
【０３３０】
未受信時停止識別情報制御手段が、前回の識別情報指定コマンドのデータを用いたときに識別情報の組み合わせが特定表示態様となるときには、いずれか一つの識別情報を、前回の識別情報指定コマンドのデータにもとづく識別情報と異ならせる制御を行うように構成されている場合には、実際には特定表示態様となるべきでないにも関わらず特定表示態様となってしまうことが防止される。
【手続補正２２】
【補正対象書類名】明細書
【補正対象項目名】０３３１
【補正方法】削除
【補正の内容】
【手続補正２３】
【補正対象書類名】明細書
【補正対象項目名】０３３２
【補正方法】削除
【補正の内容】